(57)【特許請求の範囲】
【請求項１】
一方の面側で端末装置を支持する支持部と、
前記支持部の他方の面側に設けられた第１のベルト通しと、
前記第１のベルト通しの近傍であって前記第１のベルト通しよりも前記支持部の中央側に配置された第２のベルト通しとを有し、
前記第１のベルト通しは前記端末装置の縦辺に平行になるように配置され、前記第２のベルト通しは前記第１のベルト通しに対し傾斜して配置されている
ことを特徴とする保護カバー。
【請求項２】
前記第１のベルト通し及び前記第２のベルト通しを通る第１のストラップを有し、前記第１のストラップは前記第１のベルト通しから前記端末装置の側方に出ることを特徴とする請求項１に記載の保護カバー。
【請求項３】
前記第１のベルト通し及び前記第２のベルト通しをそれぞれ２個ずつ有し、２個の前記第１のベルト通しは前記支持部の他方の面の対角の位置に配置され、２個の前記第２のベルト通し間に第２のストラップが掛け渡されることを特徴とする請求項２に記載の保護カバー。
【請求項４】
前記第２のベルト通しに対向する第３のベルト通しを有し、前記第１のストラップは前記第１のベルト通し、前記第２のベルト通し、及び前記第３のベルト通しを通り、前記第２のベルト通しと前記第３のベルト通しとの間に第２のストラップが掛け渡されることを特徴とする請求項２に記載の保護カバー。
【請求項５】
前記第１のストラップの長さ方向のずれを防止するずれ防止機構が設けられていることを特徴とする請求項２乃至４のいずれか１項に記載の保護カバー。
【請求項６】
端末装置本体と、
前記端末装置本体に装着した保護カバーとを有し、
前記保護カバーは、
一方の面側で前記端末装置本体を支持する板状の支持部と、
前記支持部の他方の面側に設けられた第１のベルト通しと、
前記第１のベルト通しの近傍であって前記第１のベルト通しよりも前記支持部の中央側に配置された第２のベルト通しとを有し、
前記第１のベルト通しは前記端末装置本体の縦辺に平行になるように配置され、前記第２のベルト通しは前記第１のベルト通しに対し傾斜して配置されている
ことを特徴とする端末装置。
【発明の詳細な説明】
【技術分野】
【０００１】
本発明は、保護ケース、及びその保護ケースを装着した端末装置に関する。
【背景技術】
【０００２】
工場や店舗等において、商品管理にタブレット型ＰＣ（Personal Computer）等の端末装置が広く用いられている。そのような端末装置では、不用意な取扱いによる落下等による破損を防止するために、ハンドストラップやショルダーストラップを備えた保護ケースを装着することが多い（例えば、特許文献１〜４参照）。
【０００３】
また、ハンドストラップとショルダーストラップとの両方を使用可能とし、使用形態に応じて使い分けるようにした保護ケースもある。そのような保護ケースでは、例えばケースの裏面側にハンドストラップを取り付け、ケースの上部及び下部にそれぞれショルダーストラップを接続するためのＤ字状の金具（Ｄカン）を取り付けている。保護ケースにショルダーストラップを接続するときは、ショルダーストラップに取り付けた金具（環の一部がばねで開閉する構造の金具：ナスカン）をＤ字状の金具に連結する。
【先行技術文献】
【特許文献】
【０００４】
【特許文献１】特開２００７−１０２５３２号公報
【特許文献２】特開２００９−２０５５３１号公報
【特許文献３】特開２０１４−０６７３３２号公報
【特許文献４】特表２００７−５１４２１３号公報
【発明の概要】
【発明が解決しようとする課題】
【０００５】
一般的に、ハンドストラップとショルダーストラップとの両方を使用可能とした保護ケースでは、上述したようにハンドストラップとショルダーストラップとを別個に設けており、構造が複雑になってコストが高くなる。また、ショルダーストラップを取り付けて端末装置を肩に掛けたときに、ストラップが邪魔になって端末装置の画面の一部が見えなくなり、操作がしにくくなることもある。
【０００６】
開示の技術は、構造が簡単であり、ストラップにより画面が隠されることがない保護ケース、及びその保護ケースを装着した端末装置を提供することを目的とする。
【課題を解決するための手段】
【０００７】
開示の技術の一観点によれば、一方の面側で端末装置を支持する支持部と、前記支持部の他方の面側に設けられた第１のベルト通しと、前記第１のベルト通しの近傍であって前記第１のベルト通しよりも前記支持部の中央側に配置された第２のベルト通しとを有し、前記第１のベルト通しは前記端末装置の縦辺に平行になるように配置され、前記第２のベルト通しは前記第１のベルト通しに対し傾斜して配置されている保護カバーが提供される。
【０００８】
開示の技術の他の一観点によれば、端末装置本体と、前記端末装置本体に装着した保護カバーとを有し、前記保護カバーは、一方の面側で前記端末装置本体を支持する板状の支持部と、前記支持部の他方の面側に設けられた第１のベルト通しと、前記第１のベルト通しの近傍であって前記第１のベルト通しよりも前記支持部の中央側に配置された第２のベルト通しとを有し、前記第１のベルト通しは前記端末装置本体の縦辺に平行になるように配置され、前記第２のベルト通しは前記第１のベルト通しに対し傾斜して配置されている端末装置が提供される。
【発明の効果】
【０００９】
上記一観点に係る保護カバーによれば、構造が簡単であり、ストラップにより画面が隠されることがない。また、上記一観点にかかる端末装置によれば、画面の視認性がよい。
【図面の簡単な説明】
【００１０】
【図１】図１は、第１の実施形態に係る保護ケースを示す正面図（その１）である。
【図２】図２は、第１の実施形態に係る保護ケースを示す正面図（その２）である。
【図３】図３は、保護ケースの裏面図である。
【図４】図４は、ハンドストラップ及びショルダーストラップを付けた状態の保護ケースを示す図である。
【図５】図５は、ショルダーストラップのみを付けた状態の保護ケースを示す図である。
【図６】図６は、保護ケースの右上部分を拡大して示す図である。
【図７】図７は、第２の実施形態に係る保護ケースを示す図（その１）である。
【図８】図８は、第２の実施形態に係る保護ケースを示す図（その２）である。
【図９】図９は、第３の実施形態に係る保護ケースを示す図（その１）である。
【図１０】図１０は、第３の実施形態に係る保護ケースを示す図（その２）である。
【図１１】図１１は、第３の実施形態に係る保護ケースを示す図（その３）である。
【図１２】図１２は、第３の実施形態に係る保護ケースを示す図（その４）である。
【発明を実施するための形態】
【００１１】
以下、実施形態について、添付の図面を参照して説明する。
【００１２】
（第１の実施形態）
図１，図２は、第１の実施形態に係る保護ケースを示す正面図である。
【００１３】
図１は保護ケース１０を端末装置（端末装置本体）２０に装着した状態を示しており、図２は保護ケース１０を端末装置２０に装着途中の状態を示している。
【００１４】
これらの図１，図２に示すように、保護ケース１０には、端末装置２０の裏面を支持する板状の支持部１１と、支持部１１の縁から突出して端末装置２０の縁部を弾性的に保持する保持部１２とを有する。保護ケース１０を端末装置２０に装着するときは、支持部１１と保持部１２との間に端末装置２０の縁部を挿入する。なお、図１，図２中の符号２３はショルダーストラップである。
【００１５】
図３は、保護ケース１０の裏面図である。図３では、ショルダーストラップ及びハンドストラップを外した状態を示している。
【００１６】
図３に示すように、保護ケース１０の裏面には、ベルト通し１３ａ，１３ｂと、ベルト通し１４ａ〜１４ｄとが設けられている。
【００１７】
ベルト通し１３ａは支持部１１の右上部に配置されており、ベルト通し１３ｂは支持部１１の左下部に配置されている。これらのベルト通し１３ａ，１３ｂはいずれも支持部１１の縦辺に平行に配置されており、ショルダーストラップが、保護ケース１０を装着した端末装置２０の縦辺から側方に出るようになっている。
【００１８】
ベルト通し１４ａは、ベルト通し１３ａの近傍であってベルト通し１３ａよりも支持部１１の中央側に配置されている。また、ベルト通し１４ｂは、ベルト通し１３ｂの近傍であってベルト通し１３ｂよりも支持部１１の中央側に配置されている。
【００１９】
これらのベルト通し１４ａ，１４ｂは互いに向き合うように、すなわちベルト通し１３ａ，１３ｂに対し傾斜した角度で配置されている。
【００２０】
ベルト通し１４ｃは支持部１１の左上部に配置されており、ベルト通し１４ｄは支持部１１の右下部に配置されている。これらのベルト通し１４ｃ，１４ｄも、互いに向き合うように配置されている。
【００２１】
なお、図３に示すように、ベルト通し１４ａ〜１４ｄの近傍にはそれぞれ突起１５が設けられている。また、図３に符号１６で示す部分の突起は、端末装置２０にバーコードリーダ又はハンドスキャナを接続した際に、それらのバーコードリーダ又はハンドスキャナを保持するホルダーを取り付けるためのものである。
【００２２】
図４は、ハンドストラップ２２及びショルダーストラップ２３を付けた状態の保護ケース１０を示す図である。また、図５は、ショルダーストラップ２３のみを付けた状態の保護ケース１０を示す図である。更に、図６は、保護ケース１０の右上部分を拡大して示す図である。
【００２３】
本実施形態において、ハンドストラップ２２及びショルダーストラップ２３はいずれも布製の平ベルトである。ショルダーストラップ２３となる平ベルトは、図４，図５に示すように、ベルト通し１３ａ、ベルト通し１４ａ、ベルト通し１４ｂ、ベルト通し１３ｂを順に通し、留め具２３ａ，２３ｂを用いて両端を接続する。留め具２３ａと留め具２３ｂとの間の平ベルトの長さを調整することで、ショルダーストラップ２３を作業者の肩に掛けるのに適した長さとすることができる。ショルダーストラップ２３は第１のストラップの一例である。
【００２４】
ハンドストラップ２２となる平ベルトは、図４に示すように、ベルト通し１４ａ，１４ｂ間に掛け渡し、留め具２２ａを用いて両端を接続する。ハンドストラップ２２は、支持部１１とハンドストラップ２２との間に手を入れて端末装置２０を保持するためのものである。ハンドストラップ２２は、第２のストラップの一例である。
【００２５】
本実施形態において、ベルト通し１３ａ，１３ｂは第１のベルト通しの一例であり、ベルト通し１４ａ，１４ｂは第２のベルト通しの一例である。
【００２６】
以下、本実施形態の効果について説明する。
【００２７】
前述したように、本実施形態では、ベルト通し１４ａ，１４ｂをベルト通し１３ａ，１３ｂの近傍に、且つベルト通し１３ａ，１３ｂに対し傾斜させて配置している。そのため、ショルダーストラップ２３（平ベルト）を引張ったときに、ベルト通し１３ａとベルト通し１４ａとの間及びベルト通し１３ｂとベルト通し１４ｂとの間で大きな抵抗が働く。従って、ショルダーストラップ２３がずれにくく、作業者がショルダーストラップ２３を肩に掛けたときに端末装置２０の位置が安定する。
【００２８】
また、本実施形態では、ショルダーストラップ２３が通るベルト通し１４ａ，１４ｂ間に平ベルトを掛け渡してハンドストラップ２２としている。そのため、構造が比較的簡単であり、製品コストを抑えることができる。
【００２９】
更に、本実施形態では、以下に示す効果もある。
【００３０】
例えば、ショルダーストラップ２３を肩に掛けて端末装置２０を操作する際に、ショルダーストラップ２３が端末装置２０の横辺から上に出ると、ストラップ２３が邪魔になって端末装置２０の画面の一部が見えないことがある。
【００３１】
一方、本実施形態では、ベルト通し１３ａ，１３ｂが支持部１１の縦辺に平行であり、且つ支持部１１の角部近傍に配置されている。そのため、ショルダーストラップ２３は、保護ケース１０を装着した端末装置２０の縦辺から側方に出る。これにより、作業者がショルダーストラップ２３を肩に掛けて端末装置２０を操作する場合も、ショルダーストラップ２３により画面が隠されることがなく、視認性が良いという効果を奏する。
【００３２】
なお、本実施形態ではハンドストラップ２３をベルト通し１４ａ，１４ｂ間に掛け渡しているが、ハンドストラップ２３はベルト通し１４ｃ，１４ｄ間に掛け渡すようにしてもよい。
【００３３】
（第２の実施形態）
上述の第１の実施形態では、図３，図４に示すように、支持部１１の左下部にベルト通し１３ｂを設けている。しかし、前述したように、作業者がショルダーストラップ２３を肩に掛けて端末装置２０を見たときに邪魔になるのは画面の上側から出たショルダーストラップであり、画面の下側からショルダーストラップが出ても作業者の視界の邪魔にはならない。
【００３４】
図７，図８は、第２の実施形態に係る保護ケース１０を示す図である。図７はショルダーストラップ及びハンドストラップを取り外した保護ケース１０を示しており、図８は同じくその保護ケース１０にショルダーストラップ２３を取り付けた状態を示している。
【００３５】
なお、図７，図８において、図３，図５と同一物には同一符号を付して、その詳細な説明は省略する。
【００３６】
図７，図８に示す第２の実施形態では、保護ケース１０の支持部１１の左下部のベルト通し１３ｂ（図３参照）を省略している。このため、作業者がショルダーストラップ２３を肩に掛けたときに、ショルダーストラップ２３が、端末装置２０の下側の辺から下方に出ることもある。しかし、前述したように、ショルダーストラップ２３が画面の下側から出ても、作業者の視界の邪魔にはならない。
【００３７】
第２の実施形態において、ベルト通し１３ａは第１のベルト通しの一例であり、ベルト通し１４ａは第２のベルト通しの一例であり、ベルト通し１４ｂは第３のベルト通しの一例である。
【００３８】
（第３の実施形態）
図９〜図１２は、第３の実施形態に係る保護ケース１０を示す図である。図９は保護ケース１０の裏面側を示し、図１０は同じくその保護ケース１０の右上部分を拡大して示している。また、図１１は保護ケース１０にストラップ２５を付けた状態を示し、図１２は同じくそのストラップ２５を付けた保護ケース１０の右上部分を拡大して示している。
【００３９】
なお、図９〜図１２において、図３，図５と同一物には同一符号を付して、その詳細な説明は省略する。
【００４０】
本実施形態では、図９，図１０に示すように、ベルト通し１３ａ，１３ｂと支持部１１の縦辺との間に、リベット状の突起１９を設けている。また、図１１，図１２に示すように、ストラップ２５の所定の位置に、ストラップ２５の長さ方向に沿って複数の留め穴２５ａを設けている。そして、突起１９にストラップ２５の留め穴２５ａを嵌めて、ストラップ２５がずれないようにしている。なお、突起１９は、ずれ防止機構の一例である。
【００４１】
本実施形態では、突起１９と留め穴２５ａとによりストラップ２５がずれないようにしているので、支持板１１とストラップ２５との間に手を入れ保護カバー１０を装着した端末装置を保持することができる。従って、本実施形態に係る保護ケース１０では、第１の実施形態のようにショルダーストラップ２３とハンドストラップ２２とを別個に設ける必要がなく、第１の実施形態の保護ケース１０に比べて製品コストを低減できるという利点がある。
【００４２】
以上の諸実施形態に関し、更に以下の付記を開示する。
【００４３】
（付記１）一方の面側で端末装置を支持する支持部と、
前記支持部の他方の面側に設けられた第１のベルト通しと、
前記第１のベルト通しの近傍であって前記第１のベルト通しよりも前記支持部の中央側に配置された第２のベルト通しとを有し、
前記第１のベルト通しは前記端末装置の縦辺に平行になるように配置され、前記第２のベルト通しは前記第１のベルト通しに対し傾斜して配置されている
ことを特徴とする保護カバー。
【００４４】
（付記２）前記第１のベルト通し及び前記第２のベルト通しを通る第１のストラップを有し、前記第１のストラップは前記第１のベルト通しから前記端末装置の側方に出ることを特徴とする付記１に記載の保護カバー。
【００４５】
（付記３）前記第１のベルト通し及び前記第２のベルト通しをそれぞれ２個ずつ有し、２個の前記第１のベルト通しは前記支持部の他方の面の対角の位置に配置され、２個の前記第２のベルト通し間に第２のストラップが掛け渡されることを特徴とする付記２に記載の保護カバー。
【００４６】
（付記４）前記第２のベルト通しに対向する第３のベルト通しを有し、前記第１のストラップは前記第１のベルト通し、前記第２のベルト通し、及び前記第３のベルト通しを通り、前記第２のベルト通しと前記第３のベルト通しとの間に第２のストラップが掛け渡されることを特徴とする付記２に記載の保護カバー。
【００４７】
（付記５）前記第１のストラップの長さ方向のずれを防止するずれ防止機構が設けられていることを特徴とする付記２乃至４のいずれか１項に記載の保護カバー。
【００４８】
（付記６）前記ずれ防止機構は前記支持部に設けられた突起であり、前記第１のストラップには前記突起に嵌合する穴が設けられていることを特徴とする付記５に記載の保護カバー。
【００４９】
（付記７）端末装置本体と、
前記端末装置本体に装着した保護カバーとを有し、
前記保護カバーは、
一方の面側で前記端末装置本体を支持する板状の支持部と、
前記支持部の他方の面側に設けられた第１のベルト通しと、
前記第１のベルト通しの近傍であって前記第１のベルト通しよりも前記支持部の中央側に配置された第２のベルト通しとを有し、
前記第１のベルト通しは前記端末装置本体の縦辺に平行になるように配置され、前記第２のベルト通しは前記第１のベルト通しに対し傾斜して配置されている
ことを特徴とする端末装置。
【００５０】
（付記８）前記第１のベルト通し及び前記第２のベルト通しを通る第１のストラップを有し、前記第１のストラップは前記第１のベルト通しから前記端末装置本体の側方に出ることを特徴とする付記７に記載の端末装置。
【００５１】
（付記９）前記第１のベルト通し及び前記第２のベルト通しをそれぞれ２個ずつ有し、２個の前記第１のベルト通しは前記支持部の他方の面の対角の位置に配置され、２個の前記第２のベルト通し間に第２のストラップが掛け渡されることを特徴とする付記８に記載の端末装置。
【００５２】
（付記１０）前記第２のベルト通しに対向する第３のベルト通しを有し、前記第１のストラップは前記第１のベルト通し、前記第２のベルト通し、及び前記第３のベルト通しを通り、前記第２のベルト通しと前記第３のベルト通しとの間に第２のストラップが掛け渡されることを特徴とする付記８に記載の端末装置。
【符号の説明】
【００５３】
１０…保護ケース、１１…支持部、１２…保持部、１３ａ，１３ｂ，１４ａ〜１４ｃ…ベルト通し、１９…突起、２０…端末装置、２２…ハンドストラップ、２２ａ…留め具、２３…ショルダーストラップ、２３ａ，２３ｂ…留め具、２５…ストラップ、２５ａ…留め穴。
【図１】
0006620646.tif 000002
【図２】
0006620646.tif 000003
【図３】
0006620646.tif 000004
【図４】
0006620646.tif 000005
【図５】
0006620646.tif 000006
【図６】
0006620646.tif 000007
【図７】
0006620646.tif 000008
【図８】
0006620646.tif 000009
【図９】
0006620646.tif 000010
【図１０】
0006620646.tif 000011
【図１１】
0006620646.tif 000012
【図１２】
0006620646.tif 000013